(57)【要約】【課題】複数の負荷の夫々に所望の負荷電圧を高い精度で印加することが可能で、且つ廉価な検査装置を提供することにある。【解決手段】検査装置１０にリモートセンシング機能を有する単一電源１１と単一電流検出回路１２を備え、各負荷Ｂ１〜Ｂ３に対して該負荷Ｂ１〜Ｂ３の両端と電源１１のリモートセンシング端子Ｓ（＋）、Ｓ（−）を結ぶ一対の配線の夫々に抵抗ＲＳｎ（＋）、ＲＳｎ（−）とアナログスイッチからなるセンサスイッチＳＷＳｎ（＋）、ＳＷＳｎ（−）を設け、これらセンサスイッチＳＷＳｎ（＋）、ＳＷＳｎ（−）をＯＮすることにより所望の負荷電圧を高い精度で印加した状態で負荷電流を測定するようにした。【選択図】図１
2010198101.tif 000002
【特許請求の範囲】
【請求項１】
複数の負荷の夫々に所定の電圧を印加したときの該負荷に流れる電流を測定する検査装置であって、
前記検査装置はリモートセンシング機能を有する１つの定電圧電源と１つの電流検出手段を有し、
前記各負荷の一端が前記電流検出手段を介して前記電源の出力端子の一端に接続されると共に該各負荷の他端が前記電源の出力端子の他端に接続され、
前記各負荷の一端と前記電流検出手段との接続間および該各負荷の他端と前記電源の出力端子の他端との接続間のうち少なくとも一方に第１のスイッチが設けられ、
前記各負荷の一端が前記電源のリモートセンサ端子の一端に接続されると共に該各負荷の他端が前記電源のリモートセンサ端子の他端に接続され、
前記各負荷の一端と前記電源のリモートセンサ端子の一端との接続間および該各負荷の他端と前記電源のリモートセンサ端子の他端との接続間のうち少なくとも一方に第２のスイッチが設けられ且つ少なくとも一方に抵抗が設けられ、
前記第１のスイッチのＯＮで電圧が印加される負荷が選択され、前記第２のスイッチのＯＮでリモートセンシング機能が機能する負荷が選択されて電源電圧が制御されることを特徴とする検査装置。
【請求項２】
前記第２のスイッチはアナログスイッチであることを特徴とする請求項１に記載の検査装置。
【請求項３】
前記抵抗は全て同一の抵抗値を有することを特徴とする請求項１または２のいずれか１項に記載の検査装置。
【発明の詳細な説明】
【技術分野】
【０００１】
本発明は検査装置に関するものであり、詳しくは、リモートセンシング機能を有する電源と電流検出回路を備えた検査装置に関する。
【背景技術】
【０００２】
負荷と負荷を駆動する直流定電圧安定化電源（以下、「電源」と略称する）が遠く離れた場所にあってその間を配線で接続した場合、負荷の両端に印加される電圧は配線の抵抗による電圧降下（ラインドロップ）によって電源の出力電圧よりも低くなる。
【０００３】
そこで、配線の電圧降下分を補償して負荷の両端に所望の電圧が印加されるようにリモートセンシング機能を付加することが行われる。
【０００４】
これは、負荷に電力を供給する配線と負荷の両端の電圧を検出する配線を分離し、負荷端で夫々を接続するものである。これにより、負荷の両端の電圧を検出して電源にフィードバックすることにより出力電圧を制御し、所望の電圧を高い精度で負荷に印加することが可能となる。
【０００５】
このような検査装置は、例えば、ヘッドランプやリアコンビネーションランプのような複数の光源（電球等）を負荷とする車両用灯具において、夫々の負荷に同時に直流定電圧を供給することにより灯具内で全ての光源が正常に接続されているかどうかを確認するための点灯検査、或いは、夫々の負荷に個別に直流定電圧を供給することにより各光源に流れる電流が規定値内にあるかどうかを検査して合否を判定するための合否判定検査等の検査に用いられる。
【０００６】
リモートセンシング機能を有する電源システムの従来例としては、複数の負荷に対してリモートセンシング機能を有する複数の電源を設け、１つの負荷を１つの電源によって駆動するような構成とした電源システムが提案されている（例えば、特許文献１参照。）。
【０００７】
図６は、このような電源システムの構成を、上述した検査装置に適用した場合の一例を示している。
【０００８】
複数の負荷（図では負荷を電球とし、負荷の数を３個としている）５０ａ、５０ｂ、５０ｃで構成されるランプユニット５１に対して夫々リモートセンシングの端子Ｓ（＋）、Ｓ（−）を有する電源５２ａ、５２ｂ、５２ｃを電球５０ａ、５０ｂ、５０ｃの数と同数設け、各電源５２ａ、５２ｂ、５２ｃの入力は商用電源５３に接続され、出力端子Ｏ（＋）、Ｏ（−）は夫々電球５０ａ、５０ｂ、５０ｃの両端に配線を介して接続されている。
【０００９】
このとき、各電源５２ａ、５２ｂ、５２ｃの出力端子Ｏ（＋）と該出力端子Ｏ（＋）が接続される各電球５０ａ、５０ｂ、５０ｃの端子の間には電流値測定用の電流測定回路５４ａ、５４ｂ、５４ｃが設けられている。
【００１０】
そして、各電源５２ａ、５２ｂ、５２ｃのリモートセンシングの端子Ｓ（＋）、Ｓ（−）が夫々の電源５２ａ、５２ｂ、５２ｃの出力端子Ｏ（＋）、出力端子Ｏ（−）と配線を介して電球５０ａ、５０ｂ、５０ｃの両端を接続点として接続されている。
【００１１】
電源５２ａ、５２ｂ、５２ｃと電流測定回路５４ａ、５４ｂ、５４ｃが検査装置５５を構成する。
【００１２】
検査装置を上記リモートセンシング機能を有する回路構成とすることにより、個々の電球毎に個別に所望の電圧を高い精度で印加することができ、正確な負荷電圧下における電流測定等の電気的特性検査を行うことができる。
【先行技術文献】
【特許文献】
【００１３】
【特許文献１】実公平１−２２３７０号公報
【発明の概要】
【発明が解決しようとする課題】
【００１４】
ところで、上述の検査装置は、負荷電圧が個々の負荷によって異なる場合には有効な回路構成であるが、負荷電圧が全て同じ場合は電源が必ずしも負荷の数だけ必要となるわけではなく、電流測定回路についても同様である。つまり、複数の負荷に対して１つの電源及び１つの電源測定回路を供用することが考えられる。
【００１５】
そこで、本発明は上記問題に鑑みて創案なされたもので、その目的とするところは、複数の負荷の夫々に所望の負荷電圧を高い精度で印加することが可能で、且つ廉価な検査装置を提供することにある。
【課題を解決するための手段】
【００１６】
上記課題を解決するために、本発明の請求項１に記載された発明は、
複数の負荷の夫々に所定の電圧を印加したときの該負荷に流れる電流を測定する検査装置であって、
前記検査装置はリモートセンシング機能を有する１つの定電圧電源と１つの電流検出手段を有し、
前記各負荷の一端が前記電流検出手段を介して前記電源の出力端子の一端に接続されると共に該各負荷の他端が前記電源の出力端子の他端に接続され、
前記各負荷の一端と前記電流検出手段との接続間および該各負荷の他端と前記電源の出力端子の他端との接続間のうち少なくとも一方に第１のスイッチが設けられ、
前記各負荷の一端が前記電源のリモートセンサ端子の一端に接続されると共に該各負荷の他端が前記電源のリモートセンサ端子の他端に接続され、
前記各負荷の一端と前記電源のリモートセンサ端子の一端との接続間および該各負荷の他端と前記電源のリモートセンサ端子の他端との接続間のうち少なくとも一方に第２のスイッチが設けられ且つ少なくとも一方に抵抗が設けられ、
前記第１のスイッチのＯＮで電圧が印加される負荷が選択され、前記第２のスイッチのＯＮでリモートセンシング機能が機能する負荷が選択されて電源電圧が制御されることを特徴とするものである。
【００１７】
また、本発明の請求項２に記載された発明は、請求項１において、
前記第２のスイッチはアナログスイッチであることを特徴とするものである。
【００１８】
また、本発明の請求項３に記載された発明は、請求項１または２のいずれか１項において、
前記抵抗は全て同一の抵抗値を有することを特徴とするものである。
【発明の効果】
【００１９】
本発明の検査装置はリモートセンシング機能を有する１つの電源と１つの電流検出手段を備え、各負荷の両端と電源の出力端子との接続間の少なくとも一方に第１のスイッチを設け、各負荷の両端と電源のリモートセンシング端子の両端との接続間の少なくとも一方に第２のスイッチを設け且つ少なくとも一方に抵抗を設けた。
【００２０】
これにより、第１のスイッチのＯＮで電圧が印加される負荷が選択され、第２のスイッチのＯＮでリモートセンシング機能が機能する負荷が選択されて電源電圧が制御され、設定された電圧を高い精度で印加した状態において負荷電流を検出することができる。
【００２１】
また、各第２のスイッチのＯＮ／ＯＦＦ状態の組み合わせによっては過渡電流が流れることになる該第２のスイッチ配線の該過渡電流を抵抗によって低減し、電流容量の小さい安価なアナログスイッチが第２のスイッチとして使用できるようになった。そのため、検査装置を廉価なものとすることが可能となった。
【図面の簡単な説明】
【００２２】
【図１】本発明の実施形態に係る回路結線図である。
【図２】配線抵抗と電流値の関係を示すグラフである。
【図３】同じく、配線抵抗と電流値の関係を示すグラフである。
【図４】配線抵抗と出力電圧誤差の関係を示すグラフである。
【図５】同じく、配線抵抗と出力電圧誤差の関係を示すグラフである。
【図６】従来例の回路結線図である。
【発明を実施するための形態】
【００２３】
以下、この発明の好適な実施形態を図１〜図５を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００２４】
図１は本発明の実施形態の回路構成図である。
【００２５】
本実施形態は、３つの負荷（電球）Ｂ１、Ｂ２、Ｂ３で構成されたランプユニット２０を１つの電源（直流定電圧安定化電源）１１及び１つの電流測定回路１２を備えた検査装置１０で駆動（点灯）し、駆動電流の電流値を測定するものである。
【００２６】
ランプユニット２０を構成する電球は全て定格電圧が同一の１２．８Ｖとし、少なくとも電球Ｂ１の消費電力は６０Ｗ、電球Ｂ２の消費電力は５Ｗとする。電球Ｂ１〜Ｂ３の両端は夫々ランプユニット２０の負荷端子（Ｂ１（＋）、Ｂ１（−））、（Ｂ２（＋）、Ｂ２（−））、（Ｂ３（＋）、Ｂ３（−））に接続されている。
【００２７】
検査装置１０を構成する電源１１は入力側が商用電源３０に接続され、出力側は一方の出力端子Ｏ（＋）が、同様に検査装置１０を構成する電流測定回路１２の入力に接続されてその出力が３つの内部出力配線ＣＯ１（＋）、ＣＯ２（＋）、ＣＯ３（＋）に分岐され、夫々出力スイッチＳＷ１（＋）、ＳＷ２（＋）、ＳＷ３（＋）を介して検査装置１０の出力端子Ｏ１(＋)、Ｏ２(＋)、Ｏ３(＋)に接続されている。
【００２８】
一方、電源１１の他方の出力端子Ｏ（−）は、３つの内部出力配線ＣＯ１（−）、ＣＯ２（−）、ＣＯ３（−）に分岐され、夫々出力スイッチＳＷ１（−）、ＳＷ２（−）、ＳＷ３（―）を介して検査装置１０の出力端子Ｏ１(−)、Ｏ２(−)、Ｏ３(−)に接続されている。
【００２９】
また、電源１１のリモートセンシングの一方の端子Ｓ（＋）は、３つの内部センサ配線ＣＳ１（＋）、ＣＳ２（＋）、ＣＳ３（＋）に分岐され、夫々センサスイッチＳＷＳ１（＋）及び抵抗ＲＳ１（＋）、センサスイッチＳＷＳ２（＋）及び抵抗ＲＳ２（＋）、センサスイッチＳＷＳ３（＋）及び抵抗ＲＳ３（＋）を介して検査装置１０のセンサ端子Ｓ１(＋)、Ｓ２(＋)、Ｓ３(＋)に接続されている。
【００３０】
一方、電源１１のリモートセンシングの一方の端子Ｓ（−）は、３つの内部センサ配線ＣＳ１（−）、ＣＳ２（−）、ＣＳ３（−）に分岐され、夫々センサスイッチＳＷＳ１（−）及び抵抗ＲＳ１（−）、センサスイッチＳＷＳ２（−）及び抵抗ＲＳ２（−）、センサスイッチＳＷＳ３（−）及び抵抗ＲＳ３（−）を介して検査装置１０のセンサ端子Ｓ１(−)、Ｓ２(−)、Ｓ３(−)に接続されている。
【００３１】
更に、検査装置１０とランプユニット２０の間は配線で接続されており、検査装置１０の各出力端子Ｏ１(＋)〜Ｏ３(＋)、Ｏ１(−)〜Ｏ３(−)とランプユニット２０の各負荷端子Ｂ１（＋）〜Ｂ３（＋）、Ｂ１（−）〜Ｂ３（−）は夫々外部出力配線ＯＬ１（＋）〜ＯＬ３（＋）、ＯＬ１（−）〜ＯＬ３（−）を介して接続されている。
【００３２】
また、検査装置１０の各センサ端子Ｓ１(＋)〜Ｓ３(＋)、Ｓ１(−)〜Ｓ３(−)とランプユニット２０の各負荷端子Ｂ１（＋）〜Ｂ３（＋）、Ｂ１（−）〜Ｂ３（−）は夫々外部センサ配線ＳＬ１（＋）〜ＳＬ３（＋）、ＳＬ１（−）〜ＳＬ３（−）を介して接続されている。
【００３３】
このとき、外部出力配線ＯＬｎ（＋）と外部センサ配線ＳＬｎ（＋）の接続点はランプユニット２０の負荷端子Ｂｎ（＋）又はその近傍にあり、同様に外部出力配線ＯＬｎ（−）と外部センサ配線ＳＬｎ（−）の接続点は負荷端子Ｂｎ（−）又はその近傍にある。
【００３４】
このとき、全ての抵抗ＲＳ１（＋）〜ＲＳ３（＋）、ＲＳ１（−）〜ＲＳ３（−）の抵抗値を同一とし、検査装置１０とランプユニット２０を結ぶ外部出力端子ＯＬｎ（＋）と外部出力端子ＯＬｎ（−）の夫々の配線抵抗の加算抵抗値を０．１Ω（断面積１ｍｍ２の銅線を１０ｍ程度の長さで配線）とする。厳密には、検査装置１０内の内部出力配線ＣＯｎ（＋）とＣＯｎ（−）の夫々の配線抵抗の加算抵抗及びランプユニット２０内の負荷配線の配線抵抗も含む。
【００３５】
また、検査装置１０のリモートセンシング端子Ｓ（＋）、Ｓ（−）に繋がる該検査装置１０内の電圧検出回路の入力抵抗の抵抗値を１００ＫΩとする。
【００３６】
このような回路構成の検査装置の動作は以下のようになる。
【００３７】
ランプユニット２０を構成する全ての電球Ｂ１、Ｂ２、Ｂ３を点灯させた状態で、所定の印加電圧における駆動電流を個々の電球Ｂ１〜Ｂ３について測定する方法を説明する。
【００３８】
まず、出力スイッチＳＷ１（＋）〜ＳＷ３（＋）、出力スイッチＳＷ１（−）〜ＳＷ３（−）を全てＯＮ状態にする。すると、電源１１の出力電圧が各電球Ｂ１〜Ｂ３に印加され、夫々の電球Ｂｎには、電源１１の出力端子Ｏ（＋）から電流測定回路１２を介して、順次出力スイッチＳＷｎ（＋）で繋がれた内部出力配線ＣＯｎ（＋）、外部出力配線ＯＬｎ（＋）、電球Ｂｎ、外部出力配線ＯＬｎ（−）及び出力スイッチＳＷｎ（−）で繋がれた内部出力配線ＣＯｎ（−）を通って電源１１の出力端子Ｏ（−）に至る電流が流れ、全ての電球Ｂｎ（Ｂ１〜Ｂ３）が点灯する。
【００３９】
この全点灯モードにおいて、電球Ｂ１の両端に所定の定格電圧を印加してその時の駆動（点灯）電流を測定するためには、センサスイッチＳＷＳ1（＋）とセンサスイッチＳＷＳ１（−）をＯＮ状態とする。
【００４０】
すると、電球Ｂ１の（＋）側端子が、抵抗ＲＳ１（＋）及びセンサスイッチＳＷＳ１（＋）を介して電源１１のリモートセンシングの端子Ｓ（＋）に接続され、電球Ｂ１の（−）側端子が、抵抗ＲＳ１（−）及びセンサスイッチＳＷＳ１（−）を介して電源１１のリモートセンシングの端子Ｓ（−）に接続される。
【００４１】
すると、電球Ｂ１の端子電圧がリモートセンシングの電圧検出回路で検出され、得られた検出電圧に基づいて電源１１の出力電圧をフィードバック制御することにより電球Ｂ１の両端に、電圧検出回路に設定された電圧（定格電圧）が高い精度で印加される。
【００４２】
このときの電流値を電流測定回路１２で測定することにより、電球Ｂ１の正確な電圧−電流特性を把握することができる。
【００４３】
次に、電球Ｂ２の両端に所定の定格電圧を印加してその時の駆動（点灯）電流を測定するためには、上記と同様にセンサスイッチＳＷＳ２（＋）とセンサスイッチＳＷＳ２（−）をＯＮ状態とするのであるが、このとき、電球Ｂ１の電流測定の状態のまま、つまりセンサスイッチＳＷＳ1（＋）とセンサスイッチＳＷＳ１（−）がＯｎ状態のままでセンサスイッチＳＷＳ２（＋）とセンサスイッチＳＷＳ２（−）をＯＮ状態にすると、その瞬間に外部センサ配線ＳＬ２（＋）、内部センサ配線ＣＳ２（＋）、内部センサ配線ＣＳ１（＋）及び外部センサ配線ＳＬ１（＋）には、配線による電圧降下が小さく電位が高い電球Ｂ２の（＋）側端子から電圧降下が大きく電位が低い電球Ｂ１の（＋）側に向かって電流が流れる。
【００４４】
同様に、外部センサ配線ＳＬ１（−）、内部センサ配線ＣＳ１（−）、内部センサ配線ＣＳ２（−）及び外部センサ配線ＳＬ２（−）には、配線による電圧降下が大きく電位が高い電球Ｂ１の（−）側端子から電圧降下が小さく電位が低い電球Ｂ２の（−）側に向かって電流が流れる。
【００４５】
このときの電流値は、内部センサ配線ＣＳ１（＋）、ＣＳ２（＋）の夫々に設けられた抵抗ＲＳ１（＋）、ＲＳ２（＋）、及び内部センサ配線ＣＳ１（−）、ＣＳ２（−）の夫々に設けられた抵抗ＲＳ１（−）、ＲＳ２（−）がショート状態にあって抵抗値が０Ωとし、内部出力配線ＣＯ１（＋）に流れる電流の電流値をＩ１、内部出力配線ＣＯ２（＋）に流れる電流をＩ２とすると、（Ｉ１＋Ｉ２）／２−Ｉ２となる。即ち、上述の場合、Ｉ１が４．６９Ａ、Ｉ２が０．３９Ａであるため内部センサ配線ＣＳ１（＋）とＣＳ２（＋）、及びＣＳ１（−）とＣＳ２（−）の夫々に流れる過渡電流は２．１５Ａとなる。
【００４６】
なお、過渡状態後の定常状態においては、内部出力配線ＣＯ１（＋）、ＣＯ２（＋）、ＣＯ１（−）、ＣＯ２（−）の夫々には共に同一電流値の２．５４Ａの電流が流れる。
【００４７】
ところで、電球Ｂ１〜Ｂ３を個別にリモートセンシングしている場合は、上述したようにリモートセンシングの内部抵抗が通常１００ＫΩ程度であるために外部センサ配線ＳＬｎ（＋）及びＳＬｎ（−）に流れる電流は１ｍＡ以下であり、そのため、外部出力配線ＯＬｎ（＋）及びＯＬｎ（−）と比較して径の細い配線材が用いられる。
【００４８】
具体的には、断面０．３ｍｍ２の銅線を１０ｍ程度の長さで配線される。すると、配線抵抗は上記のような０Ωとはならず、抵抗を有することになる。配線抵抗と電流値の関係をシミュレーシュンで求めたグラフが図２及び図３である。
【００４９】
外部センサ配線ＳＬｎ（＋）とＳＬｎ（−）の加算配線抵抗を０．１Ωとすると図２より各外部センサ配線に流れる電流は約０．７Ａとなり、当然、センサスイッチＳＷＳ１（＋）、ＳＷＳ２（＋）、ＳＷＳ１（−）、ＳＷＳ２（−）にも０．７Ａの電流が流れる。
【００５０】
この電流値は、センサスイッチＳＷＳ１（＋）、ＳＷＳ２（＋）、ＳＷＳ１（−）、ＳＷＳ２（−）に電流容量が最大でも１００ｍＡ（０．１Ａ）のアナログスイッチを採用することができず、高価な信号用リードリレーを使用しなければならない。そこで、本発明は、スイッチの切替時に過渡的に流れる電流を少なくして安価なアナログスイッチが使用できるようにしている。
【００５１】
そのために、内部センサ配線ＣＳ１（＋）〜ＣＳ３（＋）、ＣＳ１（−）〜ＣＳ３（−）の夫々に抵抗ＲＳ１（＋）〜ＲＳ３（＋）、ＲＳ１（―）〜ＲＳ３（―）を設けた。但し、リモートセンシングの両端子（Ｓ（＋）、Ｓ（−））に繋がるセンサ配線の配線抵抗は電源１１の出力電圧の精度（誤差）に影響し、配線抵抗と出力電圧誤差との関係はシミュレーションにより算出すると図４及び図５のグラフのようになる。電球Ｂ１の検査時の電源１１の出力電圧の誤差はマイナス値であるが、グラフでは便宜上プラス表示としている。
【００５２】
そこで、センサスイッチＳＷＳ１（＋）〜ＳＷＳ３（＋）、ＳＷＳ１（−）〜ＳＷＳ３（−）に流れる電流を２０ｍＡ以下として十分な余裕をもってアナログスイッチが採用できるようにするためには、図３のグラフから抵抗ＲＳ１（＋）〜ＲＳ３（＋）、ＲＳ１（―）〜ＲＳ３（―）の抵抗値を５Ω以上とする必要があることがわかる。
【００５３】
そこで、例えば、抵抗ＲＳ１（＋）〜ＲＳ３（＋）、ＲＳ１（―）〜ＲＳ３（―）を全て５０Ωとすると、リモートセンシングの配線に流れる電流値は約２ｍＡとなり、十分アナログスイッチが採用できる電流値の範囲に入る。
【００５４】
このときの出力電圧の誤差は、図５より電球Ｂ１の検査時の電源１１の出力電圧の誤差が−１．６％、電球Ｂ２の検査時の電源１１の出力電圧の誤差が１．６％となる。ちなみに、リモートセンシングの配線抵抗が０．１５Ωの場合、電球Ｂ１に対する出力電圧の誤差が約−１．２５％、電球Ｂ２に対する出力電圧の誤差が約１．２５％であるので、抵抗ＲＳ１（＋）〜ＲＳ３（＋）、ＲＳ１（―）〜ＲＳ３（―）を全て５０Ωとしても０．３５％の誤差の悪化ですむ。
【００５５】
次に、ランプユニット２０を構成する電球Ｂ１、Ｂ２、Ｂ３のうち、駆動電流を測定する電球のみを点灯させた状態で、所定の印加電圧における駆動電流を測定する方法は、測定する電球Ｂｎの両端に接続された内部出力配線ＣＯｎ（＋）を繋ぐ出力スイッチＳＷｎ（＋）と内部出力配線ＣＯｎ（−）を繋ぐ出力スイッチＳＷｎ（−）をＯＮ状態とする。
【００５６】
それと共に、測定する電球Ｂｎの両端に併設された内部センサ配線ＣＳｎ（＋）を繋ぐセンサスイッチＳＷＳｎ（＋）と内部センサ配線ＣＳｎ（−）を繋ぐセンサスイッチＳＷｎＳ（−）をＯＮ状態とする。
【００５７】
すると、電球Ｂｎの端子電圧がリモートセンシングの電圧検出回路で検出され、得られた検出電圧に基づいて電源１１の出力電圧をフィードバック制御することにより電球Ｂｎの両端に、電圧検出回路に設定された電圧（定格電圧）が高い精度で印加される。
【００５８】
このときの電流値を電流測定回路１２で測定することにより、電球Ｂｎの正確な電圧−電流特性を把握することができる。この測定手順で電球Ｂ１〜Ｂ３の電流値を順次測定することにより全電球Ｂ１〜Ｂ３の正確な電圧−電流特性を把握することができる。
【００５９】
なお、本実施例では外部出力配線の配線抵抗を０．１Ω、負荷の定格電圧を１２．８Ｖとしたが、実際のシステム構成によりこれら数値を変更して５０Ωとした抵抗ＲＳｎ(＋)、ＲＳｎ（−）の抵抗値を変更することも考えられる。
【００６０】
また、各負荷の（−）側端子同士を接合し、１本の出力配線として電源１１の出力端子Ｏ（−）に接続することも可能である。この場合、各負荷の（−）側の共通端子とリモートセンシングの端子Ｓ（−）に繋がる内部センサ配線及び外部センサ配線に負荷の駆動電流が回り込むことがないので、内部センサ配線に抵抗を設ける必要はない。
【００６１】
また、本実施例では負荷を電球とし、負荷の数を３つとしたが必ずしもこれらに限られるものではない。
【００６２】
以上説明したように、本発明は複数の負荷の夫々に所定の電圧を高い精度で印加し、その時に各負荷に流れる電流を測定する検査装置であって、検査装置に備えられた１つの電源及び１つの電流測定回路で全ての負荷を個別に測定することを可能としたものである。そのため、廉価な検査装置が実現できた。
【００６３】
また、電源はリモートセンシングの機能を有し、夫々の負荷の両端と電源のリモートセンシング端子を接続する２本のセンサ配線のうち少なくとも１本にセンサスイッチと抵抗を設けた。これにより、リモートセンシングする負荷を選択するための各センサスイッチのＯＮ／ＯＦＦの切換えによって負荷の両端の電圧が選択的に検出され、得られた検出電圧に基づいて電源の出力電圧をフィードバック制御することにより該負荷の両端に、設定された電圧が高い精度で印加される。
【００６４】
それと共に、各センサスイッチのＯＮ／ＯＦＦ状態の組み合わせによっては過渡電流が流れることになるセンサ配線の該過渡電流を抵抗によって低減し、スイッチに電流容量が小さい安価なアナログスイッチが使用できるようにした。そのため、検査装置を更なる廉価なものとすることが可能となった。
【００６５】
また、市販の電源が使用できるため、この点でも検査装置の廉価化に寄与するものである。
【００６６】
更に、夫々の負荷の両端と電源の出力端子を接続する２本の出力配線のうち少なくとも１本に出力スイッチを設けた。これにより、各出力スイッチのＯＮ／ＯＦＦの組み合わせによって負荷に選択的に電圧が印加される。その結果、全ての負荷に電圧を印加した状態でも或いは測定する負荷のみに電圧を印加した状態でも、設定された電圧を高い精度で印加した状態において負荷電流を検出することができる。
【符号の説明】
【００６７】
１０  検査装置
１１  電源（直流定電圧安定化電源）
１２  電流測定回路
２０  ランプユニット
３０  商用電源
【図１】
2010198101.tif 000003
【図２】
2010198101.tif 000004
【図３】
2010198101.tif 000005
【図４】
2010198101.tif 000006
【図５】
2010198101.tif 000007
【図６】
2010198101.tif 000008